(57)【要約】【課題】  所定位置に配置した手に風を送るファンモータの作動中の騒音を低減させる手乾燥装置を提供する。【解決手段】  本発明の手乾燥装置１は、このハウジング２の壁面４ａ，４ｂにそれぞれ設けられた掌側用及び甲側用ノズル６ａ，６ｂと、空気吸込口１４ａ，１４ｂ、空気吹出口１６ａ，１６ｂを備えたファンモータユニット８ａ，８ｂと、空気取入口２２ａ，２２ｂから空気吸込口まで延びる吸気ダクト２４ａ，２４ｂと、空気吹出口から各ノズルまで延びる吹出ダクト３０ａ，３０ｂと、吸気ダクトのファンモータユニットの空気吸込口に隣接する部位に配置された吸音材と、を有し、この吸音材は、吸気ダクトの出口２９ａ，２９ｂに設けられた通気孔３４ａ，３４ｂを備えた前部吸音材２８ａ，２８ｂ及び吸気ダクトの出口に対向する後方位置に設けられた後部吸音材３６ａ，３６ｂを含み、前部吸音材の通気孔は、吸気ダクトの出口よりも小さい径を有する。【選択図】      図２
2006075498.tif 000002
【特許請求の範囲】
【請求項１】
使用者の手の甲と掌の両側に空気を吹き付けて乾燥させる手乾燥装置であって、
使用者の手が挿入される手乾燥部となる上方に開口した開口凹部をその上端部に形成したハウジングと、
上記ハウジングの下方部分に設けられた空気取入口と、
上記開口凹部を形成するハウジングの甲側内壁面に設けられ上記手乾燥部に空気を吹出す第１空気吹出部と、
上記開口凹部を形成するハウジングの掌側内壁面に設けられ上記手乾燥部に空気を吹き出す第２空気吹出部と、
上記ハウジング内に設けられ、駆動軸、空気を吸い込む空気吸込口、空気を吹出す空気吹出口を備えたファンモータ手段と、
上記空気取入口から上記ファンモータ手段の空気吸込口まで延びる吸気ダクトと、
上記ファンモータ手段の空気吹出口から第１空気吹出部及び／又は第２空気吹出部まで延びる吹出ダクトと、
上記吸気ダクトの上記ファンモータ手段の空気吸込口に隣接する部位に配置された吸音材手段と、を有し、
上記吸音材手段は、上記吸気ダクトの出口部に設けられ空気を上記ファンモータ手段の空気吸込口に供給する通気孔を備えた前部吸音材及び上記吸気ダクトの出口部に対向する後方位置に設けられた後部吸音材を含み、上記前部吸音材の通気孔は、上記吸気ダクトの出口部よりも小さい径を有することを特徴とする手乾燥装置。
【請求項２】
上記吸音材手段は、更に、上記前部吸音材と上記後部吸音材との間に配置され、上記吸気ダクト内の空気を整流する整流吸音材を含む請求項１記載の手乾燥装置。
【請求項３】
上記ファンモータ手段は、上記第１空気吹出部に空気を送風するための第１ファンモータ手段と、上記第２空気吹出部に空気を送風するための第２ファンモータ手段を有し、
上記吸気ダクトは、上記空気取入口から上記第１ファンモータ手段の空気吸込口まで延びる第１吸気ダクトと、上記空気取入口から上記第２ファンモータ手段の空気吸込口まで延びる第２吸気ダクトを有し、
上記吹出ダクトは、上記第１ファンモータ手段の空気吹出口から第１空気吹出部まで延びる第１吹出ダクトと、上記第２ファンモータ手段の空気吹出口から第２空気吹出部まで延びる第２吹出ダクトを有し、
上記吸音材手段は、上記第１吸気ダクトの上記第１ファンモータ手段の空気吸込口に隣接する部位に配置された第１吸音材手段と、上記第２吸気ダクトの上記第２ファンモータ手段の空気吸込口に隣接する部位に配置された第２吸音材手段を有する請求項１又は２に記載の手乾燥装置。
【請求項４】
上記第２ファンモータ手段は、上記第１ファンモータ手段の上方に且つ第１ファンモータ手段と幅方向に重なるように配置されている請求項３記載の手乾燥装置。
【請求項５】
上記吸気ダクトの出口部は、上記ファンモータ手段の空気吸込口よりも大きく形成されている請求項１乃至４の何れか１項に記載の手乾燥装置。
【請求項６】
上記吸音材手段の前部吸音材の通気孔は、上記ファンモータ手段の空気吸込口とほぼ同じ大きさに形成されている請求項１乃至６の何れか１項に記載の手乾燥装置。
【請求項７】
上記空気取入口には、ほぼ直方体形状の防塵用フィルター手段が設けられ、この防塵用フィルター手段は、少なくとも２つの面を介して空気を取り入れるように構成されている請求項１乃至６の何れか１項に記載の手乾燥装置。
【請求項８】
上記整流吸音材は、上記通気孔を上方から取り囲むように扇形形状に形成されている請求項１乃至７の何れか１項記載の手乾燥装置。
【請求項９】
上記整流吸音材は、上記通気孔から放射状に延びる細長い板材により形成されている請求項１乃至７の何れか１項記載の手乾燥装置。
【請求項１０】
上記整流吸音材は、その下縁が上記通気孔よりも上方に位置するように形成されている請求項１乃至９の何れか１項記載の手乾燥装置。
【発明の詳細な説明】
【技術分野】
【０００１】
本発明は、手乾燥装置に係り、特に、所定位置に配置した手に風を送るファンモータの作動中の騒音を低減させる手乾燥装置に関する。
【背景技術】
【０００２】
従来から、手乾燥装置の代表的なものとしては、洗浄後の濡れた手を所定位置に配置すると、手の甲側及び掌側に自動的に風を送って乾燥させるものがある。
これらの従来の手乾燥装置においては、所定位置に配置した手を乾燥させるために送風する手段としてファンモータが用いられているが、このファンモータの作動中に発生する騒音が、手乾燥装置全体の騒音のほとんどを占めており、このファンモータから発生する騒音をいかに低減させるかが、従来からの課題となっている。
また、従来、このようなファンモータの騒音を低減させる目的とした手乾燥装置では、例えば、特許文献１に記載されているように、ファンモータの吸込口を塞ぐように平板状のフィルターを設け、ファンモータの吸込口から空気が吸込まれる際に、板状のフィルターを通過させることにより、吸音させるようにしたものや、特許文献２に記載されているように、ファンモータの吸込口の延長上に円筒状のフィルターを設けて、ファンモータの吸込口から空気が吸込まれる際に、この円筒状のフィルターを通過させて吸音させるようにしたものが知られている。
【０００３】
【特許文献１】特開２００２−３４８３６号公報
【特許文献２】特許３１２５５３９号公報
【発明の開示】
【発明が解決しようとする課題】
【０００４】
しかしながら、このような従来の手乾燥装置では、ファンモータの吸込口がフィルターで塞がれているため、空気のフィルター通過時の通気抵抗が大きく、吸込口からの入力のわりに、ファンモータから出力される風量が得られにくいという問題がある。
また、ファンモータから出力される風量が小さくならないようにしようとすると、ファンモータをより高速に回転させたりしなければならず、ファンモータの所要動力が大きくなり、その分ファンモータの振動や騒音が大きくなってしまうという問題がある。
【０００５】
そこで、本発明は、上述した従来技術の問題を解決するためになされたものであり、ファンモータの吸込口への通気抵抗を低減させ、かつファンモータから発生する騒音が外部へ漏出するのを軽減させる手乾燥装置を提供することを目的としている。
【課題を解決するための手段】
【０００６】
上記の目的を達成するために、本発明は、使用者の手の甲と掌の両側に空気を吹き付けて乾燥させる手乾燥装置であって、使用者の手が挿入される手乾燥部となる上方に開口した開口凹部をその上端部に形成したハウジングと、上記ハウジングの下方部分に設けられた空気取入口と、上記開口凹部を形成するハウジングの甲側内壁面に設けられ上記手乾燥部に空気を吹出す第１空気吹出部と、上記開口凹部を形成するハウジングの掌側内壁面に設けられ上記手乾燥部に空気を吹き出す第２空気吹出部と、上記ハウジング内に設けられ、駆動軸、空気を吸い込む空気吸込口、空気を吹出す空気吹出口を備えたファンモータ手段と、上記空気取入口から上記ファンモータ手段の空気吸込口まで延びる吸気ダクトと、上記ファンモータ手段の空気吹出口から第１空気吹出部及び／又は第２空気吹出部まで延びる吹出ダクトと、上記吸気ダクトの上記ファンモータ手段の空気吸込口に隣接する部位に配置された吸音材手段と、を有し、上記吸音材手段は、上記吸気ダクトの出口部に設けられ空気を上記ファンモータ手段の空気吸込口に供給する通気孔を備えた前部吸音材及び上記吸気ダクトの出口部に対向する後方位置に設けられた後部吸音材を含み、上記前部吸音材の通気孔は、上記吸気ダクトの出口部よりも小さい径を有することを特徴としている。
【０００７】
このように構成された本発明においては、ハウジングの開口凹部内に手を配置すると、ファンモータ手段が作動する。つぎに、空気取入口から吸気ダクトへ空気が取り込まれる。吸気ダクト内の空気は、後部吸音材を通過し、前部吸音材の通気孔にそれぞれ流れ込む。そして、空気は、吸気ダクトの出口部を通過し、ファンモータ手段の空気吸込口へ吸い込まれる。さらに、空気は、ファンモータ手段の空気吹出口から吹出ダクトにそれぞれ吹き出され、最終的には、第１及び第２空気吹出部から開口凹部の内方へ吹き出される。
一方、ファンモータ手段でそれぞれ発生してファンモータ手段の空気吸込口から上流側へ漏出した騒音は、その一部が、まず、前部吸音材の通気孔で吸収される。また、前部吸音材の通気孔で吸収されずに、さらに上流側へ漏出した音は、後部吸音材によって吸収される。
本発明のよれば、ファンモータ手段から発生する騒音がハウジングの外部へ漏出するのを軽減させることができる。
【０００８】
本発明において、吸音材手段は、更に、前部吸音材と後部吸音材との間に配置され、吸気ダクト内の空気を整流する整流吸音材を含むことが好ましい。この整流吸音材により、ファンモータ手段の空気吸込口への空気の流れが整流されるため、空気吸込口への通気抵抗を低減させることができる。また、前部吸音材の通気孔で吸収されずに、さらに上流側へ漏出したファンモータ手段の騒音は、整流吸音材により吸収されるため、騒音が外部へ漏出するのを軽減させることができる。
【０００９】
本発明において、ファンモータ手段は、第１空気吹出部に空気を送風するための第１ファンモータ手段と、第２空気吹出部に空気を送風するための第２ファンモータ手段を有し、吸気ダクトは、空気取入口から第１ファンモータ手段の空気吸込口まで延びる第１吸気ダクトと、空気取入口から第２ファンモータ手段の空気吸込口まで延びる第２吸気ダクトを有し、吹出ダクトは、第１ファンモータ手段の空気吹出口から第１空気吹出部まで延びる第１吹出ダクトと、第２ファンモータ手段の空気吹出口から第２空気吹出部まで延びる第２吹出ダクトを有し、吸音材手段は、第１吸気ダクトの第１ファンモータ手段の空気吸込口に隣接する部位に配置された第１吸音材手段と、上記第２吸気ダクトの上記第２ファンモータ手段の空気吸込口に隣接する部位に配置された第２吸音材手段を有することが好ましい。
【００１０】
本発明において、第２ファンモータ手段は、第１ファンモータ手段の上方に且つ第１ファンモータ手段と幅方向に重なるように配置されていることが好ましい。
【００１１】
本発明において、吸気ダクトの出口部は、ファンモータ手段の空気吸込口よりも大きく形成されていることが好ましい。
【００１２】
本発明において、吸音材手段の前部吸音材の通気孔は、ファンモータ手段の空気吸込口とほぼ同じ大きさに形成されていることが好ましい。これにより、空気吸込口から漏出する騒音を効果的に吸音することができる。
【００１３】
本発明において、空気取入口には、ほぼ直方体形状の防塵用フィルター手段が設けられ、この防塵用フィルター手段は、少なくとも２つの面を介して空気を取り入れるように構成されていることが好ましい。これにより、空気取入口における通気抵抗を小さくすることができ、ファンモータ手段の作動音を静音化させることができる。
【００１４】
本発明において、整流吸音材は、通気孔を上方から取り囲むように扇形形状に形成されていることが好ましい。これにより、ファンモータ手段の空気吸込口への空気の流れが整流されるため、空気吸込口への通気抵抗を低減させることができ、ファンモータ手段の作動音を静音化させることができる。
【００１５】
本発明において、整流吸音材は、通気孔から放射状に延びる細長い板材により形成されていてもよい。これにより、ファンモータ手段の空気吸込口への空気の流れが整流されるため、空気吸込口への通気抵抗を低減させることができ、ファンモータ手段の作動音を静音化させることができる。
【００１６】
本発明において、整流吸音材は、その下縁が通気孔よりも上方に位置するように形成されていることが好ましい。これにより、ファンモータ手段の空気吸込口への空気の流れが整流されるため、空気吸込口への通気抵抗を低減させることができ、ファンモータ手段の作動音を静音化させることができる。
【発明の効果】
【００１７】
本発明によれば、ファンモータの吸込口への通気抵抗を低減させ、かつファンモータから発生する騒音が外部へ漏出するのを軽減させることができる。
【発明を実施するための最良の形態】
【００１８】
以下、添付図面を参照して本発明の手乾燥装置の実施形態について説明する。
図１は、本発明の第１実施形態による手乾燥装置を示す正面図であり、図２及び図３は、図１に示す本発明の第１実施形態による手乾燥装置のＡ−Ａ断面及びＢ−Ｂ断面それぞれによる断面図である。
また、図４は、図２に示す本発明の第１実施形態による手乾燥装置の一部を拡大した部分断面図であり、図５は、図３に示す本発明の第１実施形態による手乾燥装置の一部を拡大した部分断面図である。
さらに、図６は、図４に示す本発明の第１実施形態による手乾燥装置のＣ−Ｃ断面図であり、図７は、本発明の第１実施形態による手乾燥装置を示す底面図である。
なお、図１〜図６では、運転時の手乾燥装置内部の空気の流れを矢印で示している。
【００１９】
図１〜図７に示すように、本実施形態の手乾燥装置１は、手乾燥装置本体を取り囲むハウジング２を備えている。このハウジング２の上部には、ハウジング２の上方からその内部へ並べた両手を挿入することができるように、上端が開口した上端開口凹部４が設けられている。
この上端開口凹部４は、そこに手を配置して風を当てて乾燥させる部分（手乾燥部）である。通常、掌をハウジング２の正面２ａ側に向け、手の甲をハウジング２の背面２ｂ側に向けた姿勢で、手をハウジング２の上方から上端開口凹部（手乾燥部）４内へ挿入するようになっている。
【００２０】
なお、以下、説明の便宜上、本実施形態の手乾燥装置１を構成する部分（要素）において、手乾燥部４内に配置した手の掌側を乾燥させるための関連要素の各名称には「掌側」と付し、手の甲側を乾燥させるための関連部分の各名称には「甲側」と付することにする。
また、本実施形態の手乾燥装置１では、手をハウジング２の上方から上端開口凹部（手乾燥部）４内へ挿入し、上端開口凹部（手乾燥部）４の掌側壁面４ａ及び甲側壁面４ｂにそれぞれ設けられたセンサ３ａ，３ｂが手を検知すると、両壁面４ａ，４ｂにそれぞれ設けられた複数の掌側用ノズル（第２空気吹出部）６ａ及び甲側用ノズル（第１空気吹出部）６ｂから、手の掌側と甲側にそれぞれ温風が吹き付けられるようになっている。
【００２１】
さらに、ハウジング２内には、掌側用ノズル６ａ及び甲側用ノズル６ｂのそれぞれに送風するための掌側用ファンモータユニット８ａ及び甲側用ファンモータユニット８ｂが互いに隣接して設けられている。
各ファンモータユニット８ａ，８ｂは、その回転駆動軸１０ａ，１０ｂがハウジング２の正面２ａ及び又は背面２ｂに対して垂直な方向に延びるように配置されている（図２及び図３参照）。
なお、掌側用ファンモータユニット８ａ及び甲側用ファンモータユニット８ｂとも同一の最大出力を有する同一形態のものであり、両者とも所望に回転駆動軸１０ａ，１０ｂの回転数を変えることができるようになっている。
また、一般的に手の甲側と掌側で同一の風量で乾燥させた場合、掌側の方が乾燥しにくいことが知られており、掌側に供給する風量が手の甲側に供給する風量に比べて大きくする必要がある。このため、手乾燥装置１の使用時には、掌側用回転駆動軸１０ａが甲側用回転駆動軸１０ｂよりも高速に回転するように各ファンモータユニット８ａ，８ｂを設定して、掌側に供給する風量を甲側よりも大きくするのが好ましい。
また、甲側用ファンモータユニット８ｂは、ハウジング２の底部に隣接して配置され、掌側用ファンモータユニット８ａは、その掌側用回転駆動軸１０ａが甲側用回転駆動軸１０ｂに対して左斜め上方に位置するように、甲側用ファンモータユニット８ｂに対して前方左斜め上方に配置されている。
【００２２】
各ファンモータユニット８ａ，８ｂの各ケーシング１２ａ，１２ｂの後端部には、掌側用及び甲側用空気吸込口１４ａ，１４ｂがそれぞれ設けられている。
一方、各ファンモータユニット８ａ，８ｂの各吹出ダクト１５ａ，１５ｂの下流端には、上方に突出する掌側用及び甲側用空気吹出口１６ａ，１６ｂがそれぞれ形成されている。この各空気吹出口１６ａ，１６ｂには、掌側用及び甲側用フィンヒータ１８ａ，１８ｂがそれぞれ設けられ、各フィンヒータ１８ａ，１８ｂにより、各空気吹出口１６ａ，１６ｂから吹き出される空気が温められるようになっている。
【００２３】
さらに、掌側用空気吹出口１６ａには掌側用吹出ダクト３０ａが接続されており、この掌側用吹出ダクト３０ａは、ハウジング２の正面２ａに隣接して空気吹出口１６ａから上方に延びるように形成されている。
また、甲側用空気吹出口１６ｂには、掌側用空気吹出口１６ａと同様に、甲側用吹出ダクト３０ｂが接続されている。この甲側用吹出ダクト３０ｂは、甲側用空気吹出口１６ｂからほぼ真上に、掌側用ファンモータユニット８ａの掌側用空気吸込口１４ａの高さ位置ぐらいまで延びた後、そこからハウジング２の背面２ｂにかけて斜め上方に、ほぼ上端開口凹部（手乾燥部）４の底面４ｃの高さ位置ぐらいまで延びるように形成されている（図３参照）。その後、吹出ダクト３０ｂは、甲側用吹出ダクト３０ｂ内の正面が上端開口凹部（手乾燥部）４の甲側壁面４ｂを形成するように上方に延びており、ダクト３０ｂ内の上部の正面側には、複数の甲側用ノズル６ｂが配置されている。
【００２４】
また、ハウジング２の底部２ｅには水受けトレー１９が設けられており、手乾燥部４内において両端がなで肩形状の底面４ｃに落ちて両側に掃けた水が、ハウジング２の内側部にある排水溝（図示せず）を伝って水受けトレー１９内に落ちるようになっている。
さらに、水受けトレー１９の背面側には、ハウジング２内に空気を取り入れるための空気取入口２２が設けられている。
この空気取入口２２は、下方から空気を取り入れる下側空気取入口２２ａを有し、この下側空気取入口２２ａ上には、塵などが下側空気取入口２２ａから内部に取り込まれるのを防ぐ防塵手段として、ほぼ直方体形状の防塵用フィルター２０が配置されている。
また、空気取入口２２は、この防塵用フィルター２０の正面２０ｂと水受けトレー１９の背面１９ａとの間に形成された前側空気取入口２２ｂをさらに有し、防塵用フィルター２０の底面２０ａ及び正面２０ｂが下側及び前側空気取入口２２ａ，２２ｂによって露出している（図４及び図５参照）。
ここで、防塵用フィルター２０は、発泡ウレタンや発泡ポリエチレン等の連続気泡を有する発泡体材料からなることが好ましい。
【００２５】
また、防塵用フィルター２０の上面２０ｃには、掌側用及び甲側用吸気ダクト２４ａ，２４ｂがそれぞれ接続されている。
各吸気ダクト２４ａ，２４ｂは、フィルタ２０の上面に配置された各上流端２６ａ，２６ｂからハウジング２の背面２ｂに沿って上方にほぼ真っ直ぐ延びており、各下流端２７ａ，２７ｂで各空気吸込口１４ａ，１４ｂに通ずる。
また、各吸気ダクト２４ａ，２４ｂの各上端部は、各ファンモータユニット８ａ，８ｂの上端部の高さとほぼ等しく、各ファンモータユニット８ａ，８ｂの背面全体を覆うように形成されている。
手乾燥装置１の作動中、ハウジング２の外部の空気は、下側及び前側空気取入口２２ａ，２２ｂから防塵用フィルター２０を介して、各吸気ダクト２４ａ，２４ｂに別々に吸込まれるようになっている。
【００２６】
さらに、各空気吸込口１４ａ，１４ｂに隣接した各吸気ダクト２４ａ，２４ｂの各下流端２７ａ，２７ｂには、各空気吸込口１４ａ，１４ｂに通ずる各吸気ダクト２４ａ，２４ｂの出口２９ａ，２９ｂを形成する吸気ダクト出口壁３１ａ，３１ｂがそれぞれ設けられている。
各吸気ダクト出口２９ａ，２９ｂは、各空気吸込口１４ａ，１４ｂのほぼ同軸上に位置し、各吸気ダクト出口２９ａ，２９ｂのそれぞれの大きさは、各空気吸込口１４ａ，１４ｂのそれぞれの大きさよりも大きくなっている。
また、各吸気ダクト出口壁３１ａ，３１ｂと各ファンモータユニット８ａ，８ｂの各ケーシング１２ａ，１２ｂとの間には、防振ゴム３２ａ，３２ｂが配置されており、各吸気ダクト出口壁３１ａ，３１ｂの背面側には、円板状の前部吸音材２８ａ，２８ｂがそれぞれ配置されている。
ここで、各前部吸音材２８ａ，２８ｂは、発泡ウレタンや発泡ポリエチレン等の連続気泡を有する発泡体材料からなることが好ましい。
【００２７】
さらに、各前部吸音材２８ａ，２８ｂは、そのほぼ中央（各空気吸込口１４ａ，１４ｂのほぼ同軸上）に通気孔３４ａ，３４ｂをそれぞれ備え、各通気孔３４ａ，３４ｂは、各空気吸込口１４ａ，１４ｂ及び各吸気ダクト出口２９ａ，２９ｂのそれぞれのほぼ同軸上に位置する。
また、各通気孔３４ａ，３４ｂのそれぞれの大きさは、各空気吸込口１４ａ，１４ｂのそれぞれの大きさとほぼ等しいか又はやや小さくなっており、したがって、各吸気ダクト出口２９ａ，２９ｂのそれぞれの大きさよりも小さくなっている。
【００２８】
さらに、各吸気ダクト２４ａ，２４ｂ内の背面には、各前部吸音材２８ａ，２８ｂから離間し、各前部吸音材２８ａ，２８ｂと対向するように、板状の後部吸音材３６ａ，３６ｂがそれぞれ配置されている（図４及び図５参照）。
ここで、各後部吸音材３６ａ，３６ｂは、発泡ウレタンや発泡ポリエチレン等の連続気泡を有する発泡体材料からなることが好ましい。
【００２９】
また、掌側用前部吸音材２８ａと掌側用後部吸音材３６ａとの間の少なくとも一部分には、掌側用整流吸音材３８ａが配置されている。
この掌側用整流吸音材３８ａは、掌側用前部吸音材２８ａの通気孔３４ａの上側を取り囲み、通気孔３４ａからその斜め下方に位置する掌側用吸気ダクト２４ａの部分にかけて、その正面又は背面から見てほぼ扇形形状となる整流通路４０ａを形成している（図６参照）。
掌側用ファンモータユニット８ａの作動中、下側及び前側空気取入口２２ａ，２２ｂから防塵用フィルター２０を介して掌側用吸気ダクト２４ａ内に取り入れられた空気は、整流通路４０ａを通過して整流されて前部吸音材２８ａの通気孔３４ａに流れ込み、掌側用吸気ダクト出口２９ａから掌側用空気吸込口１４ａへと流れるようになっている。
【００３０】
さらに、甲側用前部吸音材２８ｂと甲側用後部吸音材３６ｂとの間、より詳細には、甲側用前部吸音材２８ｂの背面かつ甲側用後部吸音材３６ｂの上方には、甲側用整流吸音材３８ｂが配置されている。この甲側用整流吸音材３８ｂは、その下縁が甲側用前部吸音材２８ｂの通気孔３４ｂよりもやや上方に位置するように水平方向に真っ直ぐ延びた形状となっており、甲側用吸気ダクト２４ｂ内の下方から通気孔３４ｂにかけて整流通路４０ｂを形成している（図６参照）。
甲側用ファンモータユニット８ｂの作動中、下側及び前側空気取入口２２ａ，２２ｂから防塵用フィルター２０を介して甲側用吸気ダクト２４ｂ内に取り入れられた空気は、整流通路４０ｂを通過して整流されて前部吸音材２８ｂの通気孔３４ｂに流れ込み、甲側用吸気ダクト出口２９ｂから甲側用空気吸込口１４ｂへと流れるようになっている。
【００３１】
また、上述したように、掌側用ファンモータユニット８ａを甲側用ファンモータユニット８ｂに対して前方左斜め上方に配置したことに伴って、掌側用空気吸込口１４ａも甲側用空気吸込口１４ｂに対して前方左斜め上方に位置するため、掌側用吸気ダクト２４ａの上流端２６ａから掌側用空気吸込口１４ａまでの掌側用吸気ダクト２４ａの風路距離は、甲側用吸気ダクト２４ｂの上流端２６ｂから甲側用空気吸込口１４ｂまでの甲側用吸気ダクト２４ｂの風路距離よりも長くなっている。
さらに、掌側用空気吸込口１４ａが甲側用空気吸込口１４ｂよりも前方に位置するため、掌側用吸気ダクト２４ａ内のスペースについては、その奥行き寸法が甲側用吸気ダクト２４ｂの奥行き寸法よりも大きくなるように確保されており、掌側用吸気ダクト２４ａの平均断面積が甲側用吸気ダクト２４ｂの平均断面積よりも大きく設定されている。
【００３２】
つぎに、上述した本発明の第１実施形態による手乾燥装置１の作用（動作）について説明する。
手乾燥装置１のハウジング２の手乾燥部４に上方から手を挿入すると、センサ３ａ，３ｂが手を検知し、掌側用ファンモータユニット８ａ及び甲側用ファンモータユニット８ｂが作動する。このとき、掌側用ファンモータユニット８ａの回転駆動軸１０ａが甲側用ファンモータユニット８ｂの回転駆動軸１０ｂよりも高速に回転している。
これらのファンモータユニット８ａ，８ｂの作動により、ハウジング２の下側空気取入口２２ａ及び前側空気取入口２２ｂから防塵用フィルター２０を介して掌側用吸気ダクト２４ａ及び甲側用吸気ダクト２４ｂのそれぞれに空気が取り込まれる。
これらの各吸気ダクト２４ａ，２４ｂに取り込まれた空気は、各整流通路４０ａ，４０ｂを通過して整流され、各前部吸音材の通気孔３４ａ，３４ｂに流れ込む。そして、空気は、各吸気ダクト出口２９ａ，２９ｂから各空気吸込口１４ａ，１４ｂへと流れ、各ファンモータユニット８ａ，８ｂの内部にそれぞれ吸い込まれる。
【００３３】
空気が各ファンモータユニット８ａ，８ｂの内部に吸い込まれる際、各ファンモータユニット８ａ，８ｂで振動と騒音が発生するが、まず、振動については各防振ゴム３２ａ，３２ｂによって吸収される。
一方、各ファンモータユニット８ａ，８ｂで発生して各空気吸込口１４ａ，１４ｂから吸気ダクト側へ漏出した騒音は、その一部が、まず各吸気ダクト出口２９ａ，２９ｂの大きさよりも小さい、各前部吸音材２８ａ，２８ｂの各通気孔３４ａ，３４ｂで吸収される。
また、各前部吸音材２８ａ，２８ｂの各通気孔３４ａ，３４ｂで吸収されなかった音は、各整流吸音材３８ａ，３８ｂと各後部吸音材３６ａ，３６ｂによって吸収される。
【００３４】
各ファンモータユニット８ａ，８ｂの空気は、各空気吹出口１６ａ，１６ｂで各フィンヒータ１８ａ，１８ｂにより温められて、各吹出ダクト３０ａ，３０ｂに吹き出される。各吹出ダクト３０ａ，３０ｂ内の空気は各ノズル６ａ，６ｂへ送られ、掌側用ノズル６ａ及び甲側用ノズル６ｂから、手乾燥部４内の掌及び手の甲にそれぞれ温風が吹き付けられる。この際、掌側用ノズル６ａから手の掌側に吹きつけられる風量は、甲側用ノズルから手の甲側に吹きつけられる風量よりも大きくなる。
【００３５】
図８は、本発明の第１実施形態による手乾燥装置１において、作動中に発生する騒音の音圧レベルと周波数との関係について各吸音材の設置条件ごとに比較した実験結果を示すグラフである。
ここで、本実験では、各吸気ダクト２４ａ，２４ｂ内に各吸音材２８ａ，２８ｂ，３６ａ，３６ｂ，３８ａ，３８ｂを１つも設置しない場合（条件１）、後部吸音材３６ａ，３６ｂのみをそれぞれ設置した場合（条件２）、前部吸音材２８ａ，２８ｂ及び後部吸音材３６ａ，３６ｂをそれぞれ設置した場合（条件３）、すべての吸音材２８ａ，２８ｂ，３６ａ，３６ｂ，３８ａ，３８ｂを設置した場合（条件４）の４つの設置条件について、掌側用ノズル６ａと甲側用ノズル６ｂとの距離を８５ｍｍに設定し、掌側用ノズル６ａにおける風速が約９６ｍ／ｓ、甲側用ノズル６ｂにおける風速が約８６ｍ／ｓのときに生ずる騒音の音圧レベルと周波数との関係を調べた。
【００３６】
図８に示すように、吸音材を全く設置しない場合（条件１）では、他の３つの場合に比べ、各周波数における音圧レベルは最も高く、特に、周波数が３ｋＨｚ付近でピークとなる。
つぎに、後部吸音材３６ａ，３６ｂのみをそれぞれ設置した場合（条件２）では、条件１に比べ、音圧レベルは相対的にやや低減する。また、音圧レベルは、周波数が３ｋＨｚ付近でピークとなるものの、そのピーク値は、条件１のピーク値に比べてやや低減するに留まっている。
また、前部吸音材２８ａ，２８ｂ及び後部吸音材３６ａ，３６ｂをそれぞれ設置した場合（条件３）では、条件２に比べ、音圧レベルは相対的に低減する。特に、周波数が３ｋＨｚ付近でわずかにピークとなるものの、そのピーク値も条件２のピーク値に比べて著しく低減している。
条件１〜３の結果から、前部吸音材２８ａ，２８ｂ及び後部吸音材３６ａ，３６ｂの吸音効果を確認することができ、特に、条件２と条件３を比較することにより、前部吸音材２８ａ，２８ｂの吸音効果の方が後部吸音材３６ａ，３６ｂの吸音効果よりも大きいことが明らかとなった。
さらに、すべての吸音材２８ａ，２８ｂ，３６ａ，３６ｂ，３８ａ，３８ｂを設置した場合（条件４）では、条件３に比べ、音圧レベルは相対的にさらに低減している。特に、低周波領域において音圧レベルが低減する傾向が顕著となっている。これは、各整流吸音材３８ａ，３８ｂの各整流通路４０ａ，４０ｂの整流効果（詳細は後述する）により、条件３に比べ、空気が各ファンモータユニット８ａ，８ｂの各空気吸込口１４ａ，１４ｂに吸込まれる際の通気抵抗が小さくなり、同一の風量を得るのに各ファンモータユニット８ａ，８ｂの回転駆動軸１０ａ，１０ｂの回転数を小さく設定することができ、各ファンモータユニット８ａ，８ｂの作動音が静音化したためである。
【００３７】
図９（ａ）は、本発明の第１実施形態による整流吸音材３８ａを設けた手乾燥装置１の運転中において、掌側用吸気ダクト２４ａ内の下方から掌側用空気吸込口１４ａに吸い込まれる空気の流れをＣＡＥ解析した結果を流線で示す図である。
図９（ｂ）は、掌側用吸気ダクト２４ａに整流吸音材３８ａを設けない場合における掌側用空気吸込口１４ａに吸い込まれる空気の流れをＣＡＥ解析した結果を流線で示す図である。
図９（ａ）に示すように、掌側用吸気ダクト２４ａに整流吸音材３８ａを設けた場合、掌側用吸気ダクト２４ａ内の下方から掌側用空気吸込口１４ａに吸い込まれる空気の流れは、整流吸音材３８ａの整流通路４０ａにより、層流となっている。
一方、図９（ｂ）に示すように、掌側用吸気ダクト２４ａに整流吸音材３８ａを設けない場合、掌側用空気吸込口１４ａの周囲で乱流となっている。
これらの結果から、整流吸音材３８ａを設けた場合には、整流吸音材３８ａを設けない場合に比べて、空気の流れがスムーズになり、吸気ダクト２４ａ内の通気抵抗が著しく低減することがわかる。
【００３８】
上述した本発明の第１実施形態による手乾燥装置１によれば、各ファンモータユニット８ａ，８ｂの各空気吸込口１４ａ，１４ｂ、各吸気ダクト出口２９ａ，２９ｂ、及び、各前部吸音材２８ａ，２８ｂの各通気孔３４ａ，３４ｂのそれぞれがほぼ同軸上に位置し、各通気孔３４ａ，３４ｂのそれぞれの大きさが各吸気ダクト出口２９ａ，２９ｂのそれぞれの大きさよりも小さくなっている。このため、各ファンモータユニット８ａ，８ｂで発生して各空気吸込口１４ａ，１４ｂ及び各吸気ダクト出口２９ａ，２９ｂから上流側に漏出した騒音を各前部吸音材２８ａ，２８ｂで効果的に吸収させて低減させることができる。
また、本実施形態による手乾燥装置１によれば、各前部吸音材２８ａ，２８ｂの上流側に各整流吸音材３８ａ，３８ｂと各後部吸音材３６ａ，３６ｂがそれぞれ配置されているため、各前部吸音材２８ａ，２８ｂで吸収されずに上流側に漏出した騒音を各整流吸音材３８ａ，３８ｂと各後部吸音材３６ａ，３６ｂで効果的に吸収させて低減させることができ、特に、各後部吸音材３６ａ，３６ｂは、各吸気ダクト２４ａ，２４ｂ内の背面における反射音を軽減させることができる。
さらに、本実施形態による手乾燥装置１によれば、下側空気取入口２２ａ及び前側空気取入口２２ｂから各吸気ダクト２４ａ，２４ｂに取り込まれた空気は、各整流通路４０ａ，４０ｂを通過して整流された状態で、各前部吸音材の通気孔３４ａ，３４ｂに流れ込むため、各吸気ダクト２４ａ，２４ｂ内の通気抵抗が小さくなる。この結果、同一の風量を得るのに各ファンモータユニット８ａ，８ｂの回転駆動軸１０ａ，１０ｂの回転数を小さく設定することができ、各ファンモータユニット８ａ，８ｂの作動音を静音化させることができる。
【００３９】
また、本実施形態による手乾燥装置１によれば、掌側用ファンモータユニット８ａを甲側用ファンモータユニット８ｂに対して前方左斜め上方に配置したことにより、掌側用吸気ダクト２４ａの上流端２６ａから掌側用空気吸込口１４ａまでの掌側用吸気ダクト２４ａの風路距離は、甲側用吸気ダクト２４ｂの上流端２６ｂから甲側用空気吸込口１４ｂまでの甲側用吸気ダクト２４ｂの風路距離よりも長くなっている。この結果、掌側用吸気ダクト２４ａの風路距離と甲側用吸気ダクト２４ｂの風路距離が等しい場合に比べて、掌側用ファンモータユニット８ａで生ずる作動音が掌側用空気吸込口１４ａから掌側用吸気ダクト２４ａを経て空気取入口２２より漏れにくくなる。したがって、例えば、掌側用ノズル６ａと甲側用ノズル６ｂとの距離を８５ｍｍに設定し、掌側用ノズル６ａにおける風速が約９６ｍ／ｓ、甲側用ノズル６ｂにおける風速が約８６ｍ／ｓで手乾燥装置１を運転した場合に、運転音を約６３ｄｂまで低減させることができる。
さらに、本実施形態による手乾燥装置１によれば、掌側用ファンモータユニット８ａを甲側用ファンモータユニット８ｂに対して前方左斜め上方に配置したことにより、掌側用空気吹出口１６ａを掌側用ノズル６ａに近づけて、掌側用吹出ダクト３０ａ内の風路距離を短く設定している。この結果、掌側用ノズル６ａへの風量を大きくする際にも掌側用吹出ダクト３０ａ内の風路抵抗の増加を抑制し、掌側用ファンモータユニット８ａの所要動力の増大を低減することができる。また、掌側用ファンモータユニット８ａで生ずる作動音を抑制することができる。
また、本実施形態による手乾燥装置１によれば、掌側用ファンモータユニット８ａを甲側用ファンモータユニット８ｂよりも前方に配置したことにより、掌側用吸気ダクト２４ａの奥行き寸法が甲側用吸気ダクト２４ｂの奥行き寸法よりも大きくなるように確保されており、掌側用吸気ダクト２４ａの平均断面積が甲側用吸気ダクト２４ｂの平均断面積よりも大きく設定されている。この結果、掌側用ノズル６ａへの風量を大きくする際にも掌側用吸気ダクト２４ａ内の風路抵抗の増加を抑制し、掌側用ファンモータユニット８ａの所要動力の増大を低減することができる。また、掌側用ファンモータユニット８ａで生ずる作動音を抑制することができる。
さらに、本実施形態による手乾燥装置１によれば、防塵用フィルター２０の底面２０ａ及び正面２０ｂが下側及び前側空気取入口２２ａ，２２ｂによって露出しているため、防塵用フィルター２０の通気面積を大きく設定することができる。この結果、防塵用フィルター２０における通気抵抗を小さくすることができ、同一の風量を得るのに各ファンモータユニット８ａ，８ｂの回転駆動軸１０ａ，１０ｂの回転数を小さく設定することができ、各ファンモータユニット８ａ，８ｂの作動音を静音化させることができる。
【００４０】
つぎに、図１０は、本発明の第２実施形態の第１変形例による手乾燥装置を示す図６と同様な断面図である。ここで、図１０において、図６に示す部分と同一の部分には、同一の符号を付し、それらの説明については省略する。
図１０に示すように、本発明の第２実施形態の第１変形例による手乾燥装置５０Ａでは、上述した本発明の第１実施形態の手乾燥装置１において掌側用前部吸音材２８ａと掌側用後部吸音材３６ａとの間に掌側用整流吸音材３８ａを配置する代わりに、細長い板状の整流吸音材５２ａが配置されている。
この整流吸音材５２ａは、掌側用吸気ダクト２４ａ内で掌側用通気孔３４ａから下方に向かって放射状に延びるように配置されている。また、整流吸音材５２ａの上端面５４ａは、掌側用通気孔３４ａの下部内周面とほぼ面一となっており、整流吸音材５２ａの下端面５６ａは、掌側用前部吸音材２８ａの下部外周面とほぼ面一となっている。
【００４１】
上述した本発明の第２実施形態による手乾燥装置５０Ａにおいては、下側空気取入口２２ａ及び前側空気取入口２２ｂから掌側用吸気ダクト２４ａに取り込まれた空気は、掌側用整流吸音材５２ａの両側を通過して整流され、掌側用前部吸音材２８ａの通気孔３４ａに流れ込む。この結果、掌側用吸気ダクト２４ａの通気抵抗が小さくなり、同一の風量を得るのに掌側用ファンモータユニット８ａの回転駆動軸１０ａの回転数を小さく設定することができ、掌側用ファンモータユニット８ａの作動音を静音化させることができる。
【００４２】
つぎに、図１１は、本発明の第２実施形態の変形例による手乾燥装置を示す図６及び図１０と同様な断面図である。ここで、図１１において、図６及び図１０に示す部分と同一の部分には、同一の符号を付し、それらの説明については省略する。
図１１に示すように、本発明の第２実施形態の変形例による手乾燥装置５０Ｂでは、上述した第２実施形態と同様な形状の整流吸音材５２ｂが、掌側用吸気ダクト２４ａ内で掌側用前部吸音材２８ａの背面に掌側用通気孔３４ａから上方に向かって放射状に延びるように配置されている。
この整流吸音材５２ｂは、上述した第２実施形態による手乾燥装置５０Ａの細長い板状の整流吸音材５２ａを通気孔３４ａの中心軸回りに掌側用前部吸音材２８ａの背面に沿ってほぼ１８０°回転させて配置した形態となっている。また、整流吸音材５２ａの上端面５４ｂは、掌側用前部吸音材２８ａの上部外周面とほぼ面一となっており、整流吸音材５２ｂの下端面５６ｂは、掌側用通気孔３４ａの上部内周面とほぼ面一となっている。
【００４３】
上述した本発明の第２実施形態の変形例による手乾燥装置５０Ｂにおいては、上述した第２実施形態と同様に、下側空気取入口２２ａ及び前側空気取入口２２ｂから掌側用吸気ダクト２４ａに取り込まれた空気は、整流吸音材５２ｂにより整流され、掌側用前部吸音材２８ａの通気孔３４ａに流れ込む。この結果、掌側用吸気ダクト２４ａの通気抵抗が小さくなり、同一の風量を得るのに掌側用ファンモータユニット８ａの回転駆動軸１０ａの回転数を小さく設定することができ、掌側用ファンモータユニット８ａの作動音を静音化させることができる。
【００４４】
なお、上述した本発明の第１及び第２実施形態による手乾燥装置では、掌側用及び甲側用の２つのファンモータユニットがハウジング内に設けられた形態について説明しているが、このような形態に限定されず、ファンモータユニットについては１つでも適用可能である。
【図面の簡単な説明】
【００４５】
【図１】本発明の第１実施形態による手乾燥装置を示す正面図である。
【図２】図１に示す本発明の第１実施形態による手乾燥装置のＡ−Ａ断面図である。
【図３】図１に示す本発明の第１実施形態による手乾燥装置のＢ−Ｂ断面図である。
【図４】図２に示す本発明の第１実施形態による手乾燥装置の一部を拡大した部分拡大断面図である。
【図５】図３に示す本発明の第１実施形態による手乾燥装置の一部を拡大した部分拡大断面図である。
【図６】図４に示す本発明の第１実施形態による手乾燥装置のＣ−Ｃ断面図である。
【図７】本発明の第１実施形態による手乾燥装置を示す底面図である。
【図８】本発明の第１実施形態による手乾燥装置において、作動中に発生する騒音の音圧レベルと周波数との関係について各吸音材の設置条件ごとに比較した実験結果を示すグラフである。
【図９】図９（ａ）は、本発明の第１実施形態による手乾燥装置の運転中において、掌側用吸気ダクト内の下方から掌側用空気吸込口に吸い込まれる空気の流れをＣＡＥ解析した結果を流線で示す図であり、図９（ｂ）は、掌側用吸気ダクトに整流吸音材を設けない場合における掌側用空気吸込口に吸い込まれる空気の流れをＣＡＥ解析した結果を流線で示す図である。
【図１０】本発明の第２実施形態による手乾燥装置を示す図６と同様な断面図である。
【図１１】本発明の第２実施形態の変形例による手乾燥装置を示す図６及び図１０と同様な断面図である。
【符号の説明】
【００４６】
１，５０Ａ，５０Ｂ  手乾燥装置
２  ハウジング
３ａ，３ｂ  センサ
４  手乾燥部
６ａ  掌側用ノズル
６ｂ  甲側用ノズル
８ａ  掌側用ファンモータユニット
８ｂ  甲側用ファンモータユニット
１０ａ  掌側用ファンモータユニットの回転駆動軸
１０ｂ  甲側用ファンモータユニットの回転駆動軸
１２ａ  掌側用ファンモータユニットのケーシング
１２ｂ  甲側用ファンモータユニットのケーシング
１４ａ  掌側用空気吸込口
１４ｂ  甲側用空気吸込口
１５ａ  掌側用ファンモータユニットの吹出ダクト
１５ｂ  甲側用ファンモータユニットの吹出ダクト
１６ａ  掌側用空気吹出口
１６ｂ  甲側用空気吹出口
１８ａ  掌側用フィンヒータ
１８ｂ  甲側用フィンヒータ
１９  水受けトレー
２０  防塵用フィルター
２２ａ  下側空気取入口
２２ｂ  前側空気取入口
２４ａ  掌側用吸気ダクト
２４ｂ  甲側用吸気ダクト
２６ａ  掌側用吸気ダクトの上流端
２６ｂ  甲側用吸気ダクトの上流端
２７ａ  掌側用吸気ダクトの下流端
２７ｂ  甲側用吸気ダクトの下流端
２８ａ  掌側用前部吸音材
２８ｂ  甲側用前部吸音材
２９ａ  掌側用吸気ダクト出口
２９ｂ  甲側用吸気ダクト出口
３０ａ  掌側用吹出ダクト
３０ｂ  甲側用吹出ダクト
３１ａ  掌側用吸気ダクト出口壁
３１ｂ  甲側用吸気ダクト出口壁
３２ａ  掌側用防振ゴム
３２ｂ  甲側用防振ゴム
３４ａ  掌側用通気孔
３４ｂ  甲側用通気孔
３６ａ  掌側用後部吸音材
３６ｂ  甲側用後部吸音材
３８ａ，５２ａ，５２ｂ  掌側用整流吸音材
３８ｂ  甲側用整流吸音材
４０ａ  掌側用整流通路
４０ｂ  甲側用整流通路
【図１】
2006075498.tif 000003
【図２】
2006075498.tif 000004
【図３】
2006075498.tif 000005
【図４】
2006075498.tif 000006
【図５】
2006075498.tif 000007
【図６】
2006075498.tif 000008
【図７】
2006075498.tif 000009
【図８】
2006075498.tif 000010
【図９】
2006075498.tif 000011
【図１０】
2006075498.tif 000012
【図１１】
2006075498.tif 000013
【手続補正書】
【提出日】平成17年8月10日(2005.8.10)
【手続補正１】
【補正対象書類名】特許請求の範囲
【補正対象項目名】全文
【補正方法】変更
【補正の内容】
【特許請求の範囲】
【請求項１】
使用者の手に空気を吹き付けて乾燥させる手乾燥装置であって、
使用者の手が挿入される手乾燥部となる開口凹部を形成したハウジングと、
上記ハウジングに設けられた空気取入口と、
上記開口凹部を形成するハウジングの壁面に設けられ上記手乾燥部に空気を吹出す空気吹出部と、
上記ハウジング内に設けられ、駆動軸、空気を吸い込む空気吸込口、空気を吹出す空気吹出口を備えたファンモータ手段と、
上記空気取入口から上記ファンモータ手段の空気吸込口まで延びる吸気ダクトと、
上記ファンモータ手段の空気吹出口から上記空気吹出部まで延びる吹出ダクトと、
上記吸気ダクトの上記ファンモータ手段の空気吸込口に隣接する部位に配置された吸音材手段と、を有し、
上記吸音材手段は、上記吸気ダクトの出口部に設けられ空気を上記ファンモータ手段の空気吸込口に供給する通気孔を備えた前部吸音材及び上記吸気ダクトの出口部に対向する後方位置に設けられた後部吸音材を含み、上記前部吸音材の通気孔は、上記吸気ダクトの出口部よりも小さい径を有することを特徴とする手乾燥装置。
【請求項２】
上記吸音材手段は、更に、上記前部吸音材と上記後部吸音材との間に配置され、上記吸気ダクト内の空気を整流する整流吸音材を含む請求項１に記載の手乾燥装置。
【請求項３】
使用者の手の甲と掌の両側に空気を吹き付けて乾燥させる手乾燥装置であって、
使用者の手が挿入される手乾燥部となる上方に開口した開口凹部をその上端部に形成したハウジングと、
上記ハウジングの下方部分に設けられた空気取入口と、
上記開口凹部を形成するハウジングの甲側内壁面に設けられ上記手乾燥部に空気を吹出す第１空気吹出部と、
上記開口凹部を形成するハウジングの掌側内壁面に設けられ上記手乾燥部に空気を吹き出す第２空気吹出部と、上記ハウジング内に設けられ、駆動軸、空気を吸い込む空気吸込口、空気を吹出す空気吹出口を備えたファンモータ手段と、
上記空気取入口から上記ファンモータ手段の空気吸込口まで延びる吸気ダクトと、
上記ファンモータ手段の空気吹出口から第１空気吹出部及び／又は第２空気吹出部まで延びる吹出ダクトと、
上記吸気ダクトの上記ファンモータ手段の空気吸込口に隣接する部位に配置された吸音材手段と、を有し、
上記吸音材手段は、上記吸気ダクトの出口部に設けられ空気を上記ファンモータ手段の空気吸込口に供給する通気孔を備えた前部吸音材及び上記吸気ダクトの出口部に対向する後方位置に設けられた後部吸音材を含み、上記前部吸音材の通気孔は、上記吸気ダクトの出口部よりも小さい径を有することを特徴とする手乾燥装置。
【請求項４】
上記吸音材手段は、更に、上記前部吸音材と上記後部吸音材との間に配置され、上記吸気ダクト内の空気を整流する整流吸音材を含む請求項３に記載の手乾燥装置。
【請求項５】
上記ファンモータ手段は、上記第１空気吹出部に空気を送風するための第１ファンモータ手段と、上記第２空気吹出部に空気を送風するための第２ファンモータ手段を有し、
上記吸気ダクトは、上記空気取入口から上記第１ファンモータ手段の空気吸込口まで延びる第１吸気ダクトと、上記空気取入口から上記第２ファンモータ手段の空気吸込口まで延びる第２吸気ダクトを有し、
上記吹出ダクトは、上記第１ファンモータ手段の空気吹出口から第１空気吹出部まで延びる第１吹出ダクトと、上記第２ファンモータ手段の空気吹出口から第２空気吹出部まで延びる第２吹出ダクトを有し、
上記吸音材手段は、上記第１吸気ダクトの上記第１ファンモータ手段の空気吸込口に隣接する部位に配置された第１吸音材手段と、上記第２吸気ダクトの上記第２ファンモータ手段の空気吸込口に隣接する部位に配置された第２吸音材手段を有する請求項３又は４に記載の手乾燥装置。
【請求項６】
上記第２ファンモータ手段は、上記第１ファンモータ手段の上方に且つ第１ファンモータ手段と幅方向に重なるように配置されている請求項５記載の手乾燥装置。
【請求項７】
上記吸気ダクトの出口部は、上記ファンモータ手段の空気吸込口よりも大きく形成されている請求項１乃至６の何れか１項に記載の手乾燥装置。
【請求項８】
上記吸音材手段の前部吸音材の通気孔は、上記ファンモータ手段の空気吸込口とほぼ同じ大きさに形成されている請求項１乃至７の何れか１項に記載の手乾燥装置。
【請求項９】
上記空気取入口には、ほぼ直方体形状の防塵用フィルター手段が設けられ、この防塵用フィルター手段は、少なくとも２つの面を介して空気を取り入れるように構成されている請求項１乃至８の何れか１項に記載の手乾燥装置。
【請求項１０】
上記整流吸音材は、上記通気孔を上方から取り囲むように扇形形状に形成されている請求項２及び４乃至９の何れか１項記載の手乾燥装置。
【請求項１１】
上記整流吸音材は、上記通気孔から放射状に延びる細長い板材により形成されている請求項２及び４乃至１０の何れか１項記載の手乾燥装置。
【請求項１２】
上記整流吸音材は、その下縁が上記通気孔よりも上方に位置するように形成されている請求項２及び４乃至１１の何れか１項記載の手乾燥装置。
【手続補正２】
【補正対象書類名】明細書
【補正対象項目名】０００６
【補正方法】変更
【補正の内容】
【０００６】
上記目的を達成するために、本発明は、使用者の手に空気を吹き付けて乾燥させる手乾燥装置であって、使用者の手が挿入される手乾燥部となる開口凹部を形成したハウジングと、上記ハウジングに設けられた空気取入口と、上記開口凹部を形成するハウジングの壁面に設けられ上記手乾燥部に空気を吹出す空気吹出部と、上記ハウジング内に設けられ、駆動軸、空気を吸い込む空気吸込口、空気を吹出す空気吹出口を備えたファンモータ手段と、上記空気取入口から上記ファンモータ手段の空気吸込口まで延びる吸気ダクトと、上記ファンモータ手段の空気吹出口から上記空気吹出部まで延びる吹出ダクトと、上記吸気ダクトの上記ファンモータ手段の空気吸込口に隣接する部位に配置された吸音材手段と、を有し、上記吸音材手段は、上記吸気ダクトの出口部に設けられ空気を上記ファンモータ手段の空気吸込口に供給する通気孔を備えた前部吸音材及び上記吸気ダクトの出口部に対向する後方位置に設けられた後部吸音材を含み、上記前部吸音材の通気孔は、上記吸気ダクトの出口部よりも小さい径を有することを特徴としている。
また本発明の一形態として、使用者の手の甲と掌の両側に空気を吹き付けて乾燥させる手乾燥装置であって、使用者の手が挿入される手乾燥部となる上方に開口した開口凹部をその上端部に形成したハウジングと、上記ハウジングの下方部分に設けられた空気取入口と、上記開口凹部を形成するハウジングの甲側内壁面に設けられ上記手乾燥部に空気を吹出す第１空気吹出部と、上記開口凹部を形成するハウジングの掌側内壁面に設けられ上記手乾燥部に空気を吹き出す第２空気吹出部と、上記ハウジング内に設けられ、駆動軸、空気を吸い込む空気吸込口、空気を吹出す空気吹出口を備えたファンモータ手段と、上記空気取入口から上記ファンモータ手段の空気吸込口まで延びる吸気ダクトと、上記ファンモータ手段の空気吹出口から第１空気吹出部及び／又は第２空気吹出部まで延びる吹出ダクトと、上記吸気ダクトの上記ファンモータ手段の空気吸込口に隣接する部位に配置された吸音材手段と、を有し、上記吸音材手段は、上記吸気ダクトの出口部に設けられ空気を上記ファンモータ手段の空気吸込口に供給する通気孔を備えた前部吸音材及び上記吸気ダクトの出口部に対向する後方位置に設けられた後部吸音材を含み、上記前部吸音材の通気孔は、上記吸気ダクトの出口部よりも小さい径を有するようにしてもよい。
【手続補正書】
【提出日】平成17年11月11日(2005.11.11)
【手続補正１】
【補正対象書類名】特許請求の範囲
【補正対象項目名】全文
【補正方法】変更
【補正の内容】
【特許請求の範囲】
【請求項１】
使用者の手に空気を吹き付けて乾燥させる手乾燥装置であって、
使用者の手が挿入される手乾燥部となる開口凹部を形成したハウジングと、
上記ハウジングに設けられた空気取入口と、
上記開口凹部を形成するハウジングの壁面に設けられ上記手乾燥部に空気を吹出す空気吹出部と、
上記ハウジング内に設けられ、駆動軸、空気を吸い込む空気吸込口、空気を吹出す空気吹出口を備えたファンモータ手段と、
上記空気取入口から上記ファンモータ手段の空気吸込口まで延びる吸気ダクトであって、その出口壁には上記ファンモータ手段の空気吸込口に対向する出口が形成された上記吸気ダクトと、
上記ファンモータ手段の空気吹出口から上記空気吹出部まで延びる吹出ダクトと、
上記吸気ダクトの上記ファンモータ手段の空気吸込口に隣接する部位に配置された吸音材手段と、を有し、
上記吸音材手段は、上記吸気ダクトの出口近傍の上記ファンモータ手段に近い吸気ダクトの内側面に設けられると共に上記ファンモータ手段の空気吸込口に空気を供給する単一の通気孔が形成された前部吸音材、及び、上記ファンモータ手段から遠い上記吸気ダクトの内側面に上記ファンモータ手段の空気吸込口に対向して設けられた後部吸音材を含み、
上記前部吸音材の上記ファンモータ手段側の面が上記ファンモータ手段の吸込口に対向するように、上記前部吸音材はその通気孔が上記吸気ダクトの出口よりも小さい径を有するように構成されていることを特徴とする手乾燥装置。
【請求項２】
上記前部吸音材は、その通気孔が上記ファンモータ手段の空気吸込口とほぼ同じ大きさの径を有するように構成されている請求項１記載の手乾燥装置。
【請求項３】
上記ファンモータ手段の空気吸込口、上記吸気ダクトの出口、及び、上記前部吸音材の通気孔は、ほぼ円形形状であり、
上記前部吸音材は、背面視で、上記ファンモータの空気吸込口の外周側空間の全周を覆うように、その通気孔が上記空気吸込口より小さい径を有するように構成されている請求項１記載の手乾燥装置。
【請求項４】
上記吸音材手段は、更に、上記前部吸音材と上記後部吸音材との間に配置され上記吸気ダクト内の空気を整流する整流吸音材を有する請求項１に記載の手乾燥装置。
【請求項５】
使用者の手に空気を吹き付けて乾燥させる手乾燥装置であって、
使用者の手が挿入される手乾燥部となる開口凹部を形成したハウジングと、
上記ハウジングに設けられた空気取入口と、
上記開口凹部を形成するハウジングの壁面に設けられ上記手乾燥部に空気を吹出す空気吹出部と、
上記ハウジング内に設けられ、駆動軸、空気を吸い込む空気吸込口、空気を吹出す空気吹出口を備えたファンモータ手段と、
上記空気取入口から上記ファンモータ手段の空気吸込口まで延びる吸気ダクトであって、その出口壁には上記ファンモータ手段の空気吸込口に対向する出口が形成された上記吸気ダクトと、
上記ファンモータ手段の空気吹出口から上記空気吹出部まで延びる吹出ダクトと、
上記吸気ダクトの上記ファンモータ手段の空気吸込口に隣接する部位に配置された吸音材手段と、を有し、
上記吸音材手段は、上記吸気ダクトの出口近傍の上記ファンモータ手段に近い吸気ダクトの内側面に設けられると共に上記ファンモータ手段の空気吸込口に空気を供給する単一の通気孔が形成された前部吸音材、上記ファンモータ手段から遠い上記吸気ダクトの内側面に上記ファンモータ手段の空気吸込口に対向して設けられた後部吸音材、及び、上記前部吸音材と上記後部吸音材との間に配置され上記吸気ダクト内の空気を整流する整流吸音材を含み、
上記整流吸音材は、上記前部吸音材の通気孔の上側を取り囲むことにより上記通気孔と連通する正面視で扇形形状の整流通路を形成するように構成されていることを特徴とする手乾燥装置。
【請求項６】
上記吸気ダクトは上下方向に延びるように形成され且つその上端の上記ファンモータ手段の空気吸込口に対向する側に上記吸気ダクトの出口が形成され、上記整流吸音材は、上記前部吸音材の通気孔の上側に沿って取り囲む円弧状内壁及びこの円弧状内壁の円周方向の両端から上記吸気ダクトの上流側に向かって広がる２つの内壁から上記扇形形状の整流通路を形成し、この整流吸音材の上記円弧状内壁と上記２つの内壁が上記吸気ダクトの上流側から上記吸気ダクトの出口に流れる空気を整流する請求項５記載の手乾燥装置。
【請求項７】
使用者の手に空気を吹き付けて乾燥させる手乾燥装置であって、
使用者の手が挿入される手乾燥部となる開口凹部を形成したハウジングと、
上記ハウジングに設けられた空気取入口と、
上記開口凹部を形成するハウジングの壁面に設けられ上記手乾燥部に空気を吹出す空気吹出部と、
上記ハウジング内に設けられ、駆動軸、空気を吸い込む空気吸込口、空気を吹出す空気吹出口を備えたファンモータ手段と、
上記空気取入口から上記ファンモータ手段の空気吸込口まで延びる吸気ダクトであって、その出口壁には上記ファンモータ手段の空気吸込口に対向する出口が形成された上記吸気ダクトと、
上記ファンモータ手段の空気吹出口から上記空気吹出部まで延びる吹出ダクトと、
上記吸気ダクトの上記ファンモータ手段の空気吸込口に隣接する部位に配置された吸音材手段と、を有し、
上記吸音材手段は、上記吸気ダクトの出口近傍の上記ファンモータ手段に近い吸気ダクトの内側面に設けられると共に上記ファンモータ手段の空気吸込口に空気を供給する単一の通気孔が形成された前部吸音材、上記ファンモータ手段から遠い上記吸気ダクトの内側面に上記ファンモータ手段の空気吸込口に対向して設けられた後部吸音材、及び、上記前部吸音材と上記後部吸音材との間に配置され上記吸気ダクト内の空気を整流する整流吸音材を含み、
上記整流吸音材は、上記前部吸音材の通気孔から放射状に延びる細長い板材により形成されていることを特徴とする手乾燥装置。
【手続補正２】
【補正対象書類名】明細書
【補正対象項目名】０００６
【補正方法】変更
【補正の内容】
【０００６】
上記の目的を達成するために、本発明の第１発明は、使用者の手に空気を吹き付けて乾燥させる手乾燥装置であって、使用者の手が挿入される手乾燥部となる開口凹部を形成したハウジングと、ハウジングに設けられた空気取入口と、開口凹部を形成するハウジングの壁面に設けられ手乾燥部に空気を吹出す空気吹出部と、ハウジング内に設けられ、駆動軸、空気を吸い込む空気吸込口、空気を吹出す空気吹出口を備えたファンモータ手段と、空気取入口からファンモータ手段の空気吸込口まで延びる吸気ダクトであって、その出口壁には上記ファンモータ手段の空気吸込口に対向する出口が形成された吸気ダクトと、ファンモータ手段の空気吹出口から空気吹出部まで延びる吹出ダクトと、吸気ダクトのファンモータ手段の空気吸込口に隣接する部位に配置された吸音材手段と、を有し、吸音材手段は、吸気ダクトの出口近傍のファンモータ手段に近い吸気ダクトの内側面に設けられると共にファンモータ手段の空気吸込口に空気を供給する単一の通気孔が形成された前部吸音材、及び、ファンモータ手段から遠い吸気ダクトの内側面にファンモータ手段の空気吸込口に対向して設けられた後部吸音材を含み、前部吸音材の上記ファンモータ手段側の面が上記ファンモータ手段の吸込口に対向するように、前部吸音材はその通気孔が上記吸気ダクトの出口よりも小さい径を有するように構成されていることを特徴としている。
【手続補正３】
【補正対象書類名】明細書
【補正対象項目名】０００７
【補正方法】変更
【補正の内容】
【０００７】
このように構成された本発明の第１発明においては、ハウジングの開口凹部内に手を配置すると、ファンモータ手段が作動する。つぎに、空気取入口から吸気ダクトへ空気が取り込まれる。吸気ダクト内の空気は、後部吸音材を通過し、前部吸音材の通気孔にそれぞれ流れ込む。そして、空気は吸気ダクトの出口を通過し、ファンモータ手段の空気吸込口へ吸い込まれる。さらに、空気は、ファンモータ手段の空気吹出口から吹出ダクトに吹出され、最終的には、空気吹出部から開口凹部の内方へ吹出される。
ここで、ファンモータ手段の空気吸込口周縁において発生した騒音は、その通気孔が吸気ダクトの出口よりも小さい径を有することによりファンモータ手段側の面がファンモータ手段の吸込口に対向する前部吸音材により吸収される。さらにモータファン手段から上流側に漏出した騒音は、ファンモータ手段から遠い吸気ダクトの内側面にファンモータ手段の空気吸込口に対向して設けられた後部吸音材により吸収される。この結果、本発明によれば、ファンモータ手段から発生する騒音がハウジングの外部へ漏出することを軽減させることができる。
【手続補正４】
【補正対象書類名】明細書
【補正対象項目名】０００８
【補正方法】変更
【補正の内容】
【０００８】
本発明の第１発明において、好ましくは、前部吸音材は、その通気孔がファンモータ手段の空気吸込口とほぼ同じ大きさの径を有するように構成されている。
このように構成された本発明の第１発明においては、ファンモータ手段の空気吸込口から上流側に流出する騒音を前部吸音材により効果的に吸音して低減することができる。
【手続補正５】
【補正対象書類名】明細書
【補正対象項目名】０００９
【補正方法】変更
【補正の内容】
【０００９】
本発明の第１発明において、好ましくは、ファンモータ手段の空気吸込口、記吸気ダクトの出口、及び、前部吸音材の通気孔は、ほぼ円形形状であり、前部吸音材は、背面視で、ファンモータの空気吸込口の外周側空間の全周を覆うように、その通気孔が空気吸込口より小さい径を有するように構成されている。
このように構成された本発明の第１発明においては、ファンモータ手段の空気吸込口から上流側に流出する騒音を前部吸音材により効果的に吸音して低減することができる。
【手続補正６】
【補正対象書類名】明細書
【補正対象項目名】００１０
【補正方法】変更
【補正の内容】
【００１０】
本発明の第１発明において、好ましくは、吸音材手段は、更に、前部吸音材と後部吸音材との間に配置され吸気ダクト内の空気を整流する整流吸音材を有する。
このように構成された本発明の第１発明においては、整流吸音材により、吸気ダクト内のファンモータ手段の空気吸込口へ流れる空気が整流されるため、空気吸込口への通気抵抗を低減させることができる。また、前記吸音材により吸収されず、さらに上流側に漏出したファンモータ手段の騒音が、整流吸音材により吸収されるため、騒音が外部の漏出することを軽減させることができる。
【手続補正７】
【補正対象書類名】明細書
【補正対象項目名】００１１
【補正方法】変更
【補正の内容】
【００１１】
本発明の第２発明は、使用者の手に空気を吹き付けて乾燥させる手乾燥装置であって、使用者の手が挿入される手乾燥部となる開口凹部を形成したハウジングと、ハウジングに設けられた空気取入口と、開口凹部を形成するハウジングの壁面に設けられ手乾燥部に空気を吹出す空気吹出部と、ハウジング内に設けられ、駆動軸、空気を吸い込む空気吸込口、空気を吹出す空気吹出口を備えたファンモータ手段と、空気取入口からファンモータ手段の空気吸込口まで延びる吸気ダクトであって、その出口壁にはファンモータ手段の空気吸込口に対向する出口が形成された吸気ダクトと、ファンモータ手段の空気吹出口から空気吹出部まで延びる吹出ダクトと、吸気ダクトのファンモータ手段の空気吸込口に隣接する部位に配置された吸音材手段と、を有し、吸音材手段は、吸気ダクトの出口近傍のファンモータ手段に近い吸気ダクトの内側面に設けられると共にファンモータ手段の空気吸込口に空気を供給する単一の通気孔が形成された前部吸音材、ファンモータ手段から遠い上記吸気ダクトの内側面にファンモータ手段の空気吸込口に対向して設けられた後部吸音材、及び、前部吸音材と後部吸音材との間に配置され吸気ダクト内の空気を整流する整流吸音材を含み、整流吸音材は、前部吸音材の通気孔の上側を取り囲むことにより通気孔と連通する正面視で扇形形状の整流通路を形成するように構成されていることを特徴としている。
【手続補正８】
【補正対象書類名】明細書
【補正対象項目名】００１２
【補正方法】変更
【補正の内容】
【００１２】
このように構成された本発明の第２発明においては、ハウジングの開口凹部内に手を配置すると、ファンモータ手段が作動する。つぎに、空気取入口から吸気ダクトへ空気が取り込まれる。吸気ダクト内の空気は、後部吸音材を通過し、前部吸音材の通気孔にそれぞれ流れ込む。そして、空気は吸気ダクトの出口を通過し、ファンモータ手段の空気吸込口へ吸い込まれる。さらに、空気は、ファンモータ手段の空気吹出口から吹出ダクトに吹出され、最終的には、空気吹出部から開口凹部の内方へ吹出される。
ここで、ファンモータ手段の空気吸込口周縁において発生した騒音は、その通気孔が吸気ダクトの出口よりも小さい径を有することによりファンモータ手段側の面がファンモータ手段の吸込口に対向する前部吸音材により吸収される。さらにファンモータ手段から上流側に漏出した騒音は、ファンモータ手段から遠い吸気ダクトの内側面にファンモータ手段の空気吸込口に対向して設けられた後部吸音材により吸収される。さらに、正面視で扇形形状の整流通路を形成する整流吸音材により、吸気ダクト内のファンモータ手段の空気吸込口へ流れる空気が整流されるため、空気吸込口への通気抵抗を低減させることができる。また、前記吸音材により吸収されず、さらに上流側に漏出したファンモータ手段の騒音が、整流吸音材により吸収されるため、騒音が外部の漏出することを軽減させることができる。この結果、本発明によれば、ファンモータ手段から発生する騒音がハウジングの外部へ漏出することを軽減させることができる。
【手続補正９】
【補正対象書類名】明細書
【補正対象項目名】００１３
【補正方法】変更
【補正の内容】
【００１３】
本発明の第２発明において、好ましくは、吸気ダクトは上下方向に延びるように形成され且つその上端のファンモータ手段の空気吸込口に対向する側に吸気ダクトの出口が形成され、整流吸音材は、前部吸音材の通気孔の上側に沿って取り囲む円弧状内壁及びこの円弧状内壁の円周方向の両端から上記吸気ダクトの上流側に向かって広がる２つの内壁から扇形形状の整流通路を形成し、この整流吸音材の円弧状内壁と２つの内壁が吸気ダクトの上流側から吸気ダクトの出口に流れる空気を整流する。
このように構成された本発明の第２発明においては、整流吸音材が、円弧状内壁及び２つの内壁から扇形形状の整流通路を形成し、この整流通路により、吸気ダクトの上流側から吸気ダクトの出口に流れる空気を整流するようにしているので、より効果的に、空気吸込口への通気抵抗を低減させることができ、さらに、ファンモータ手段から上流側に漏出する騒音が外部へ漏出することを軽減させることができる。
【手続補正１０】
【補正対象書類名】明細書
【補正対象項目名】００１４
【補正方法】変更
【補正の内容】
【００１４】
本発明の第３発明は、使用者の手に空気を吹き付けて乾燥させる手乾燥装置であって、使用者の手が挿入される手乾燥部となる開口凹部を形成したハウジングと、ハウジングに設けられた空気取入口と、開口凹部を形成するハウジングの壁面に設けられ手乾燥部に空気を吹出す空気吹出部と、ハウジング内に設けられ、駆動軸、空気を吸い込む空気吸込口、空気を吹出す空気吹出口を備えたファンモータ手段と、空気取入口からファンモータ手段の空気吸込口まで延びる吸気ダクトであって、その出口壁にはファンモータ手段の空気吸込口に対向する出口が形成された吸気ダクトと、ファンモータ手段の空気吹出口から空気吹出部まで延びる吹出ダクトと、吸気ダクトのファンモータ手段の空気吸込口に隣接する部位に配置された吸音材手段と、を有し、吸音材手段は、吸気ダクトの出口近傍のファンモータ手段に近い吸気ダクトの内側面に設けられると共にファンモータ手段の空気吸込口に空気を供給する単一の通気孔が形成された前部吸音材、ファンモータ手段から遠い吸気ダクトの内側面にファンモータ手段の空気吸込口に対向して設けられた後部吸音材、及び、前部吸音材と後部吸音材との間に配置され吸気ダクト内の空気を整流する整流吸音材を含み、整流吸音材は、前部吸音材の通気孔から放射状に延びる細長い板材により形成されていることを特徴としている。
【手続補正１１】
【補正対象書類名】明細書
【補正対象項目名】００１５
【補正方法】変更
【補正の内容】
【００１５】
このように構成された本発明の第３発明においては、ハウジングの開口凹部内に手を配置すると、ファンモータ手段が作動する。つぎに、空気取入口から吸気ダクトへ空気が取り込まれる。吸気ダクト内の空気は、後部吸音材を通過し、前部吸音材の通気孔にそれぞれ流れ込む。そして、空気は吸気ダクトの出口を通過し、ファンモータ手段の空気吸込口へ吸い込まれる。さらに、空気は、ファンモータ手段の空気吹出口から吹出ダクトに吹出され、最終的には、空気吹出部から開口凹部の内方へ吹出される。
ここで、ファンモータ手段の空気吸込口周縁において発生した騒音は、その通気孔が吸気ダクトの出口よりも小さい径を有することによりファンモータ手段側の面がファンモータ手段の吸込口に対向する前部吸音材により吸収される。さらにファンモータ手段から上流側に漏出した騒音は、ファンモータ手段から遠い吸気ダクトの内側面にファンモータ手段の空気吸込口に対向して設けられた後部吸音材により吸収される。さらに、前部吸音材の通気孔から放射状に延びる細長い板材により形成されている整流吸音材により、吸気ダクト内のファンモータ手段の空気吸込口へ流れる空気が整流されるため、空気吸込口への通気抵抗を低減させることができる。また、前記吸音材により吸収されず、さらに上流側に漏出したファンモータ手段の騒音が、整流吸音材により吸収されるため、騒音が外部の漏出することを軽減させることができる。この結果、本発明によれば、ファンモータ手段から発生する騒音がハウジングの外部へ漏出することを軽減させることができる。